【手続補正書】
【提出日】平成15年10月30日(2003.10.30)
【手続補正１】
【補正対象書類名】明細書
【補正対象項目名】発明の名称
【補正方法】変更
【補正の内容】
【発明の名称】ＩＣカード、自動販売機及び販売システム


【手続補正２】
【補正対象書類名】明細書
【補正対象項目名】特許請求の範囲
【補正方法】変更
【補正の内容】
【特許請求の範囲】
【請求項１】
年令に関する情報及び電子マネー情報を記憶する記憶手段と、
前記年令に関する情報に基づいて前記電子マネー情報を用いた金額決済処理を行なうか否かを制御する制御手段と、
を備えた事を特徴とするＩＣカード。
【請求項２】
請求項１記載のＩＣカードにおいて、
前記制御手段は、前記年令に関する情報が所定条件を満たす場合には、前記電子マネー情報を読み出し、前記年令に関する情報が所定条件を満たさない場合には、前記電子マネー情報を読み出さない事を特徴とするＩＣカード。
【請求項３】
特定の商品を購入するために用いられるＩＣカードであって、
年令に関する情報及び電子マネー情報を記憶する記憶手段と、
前記年令に関する情報が所定条件を満たす場合には、前記電子マネー情報を読み出し、
選択された商品の料金を前記電子マネー情報の示す金額から差し引きされた金額が電子マネー情報として記憶手段に記憶され、前記年令に関する情報が所定条件を満たさない場合には、前記電子マネー情報を読み出さない事を特徴とするＩＣカード。
【請求項４】
特定の商品を購入するために用いられるＩＣカードであって、
年令に関する情報及び電子マネー情報を記憶する記憶手段と、
前記電子マネー情報の示す金額が、選択された商品の料金以上の残高である場合であって前記年令に関する情報が所定条件を満たす場合には、前記電子マネー情報が読み出され、選択された商品の料金を前記電子マネー情報の示す金額から差し引した金額が電子マネー情報として記憶手段に記憶される事を特徴とするＩＣカード。
【請求項５】
特定の商品を購入するために用いられるＩＣカードであって、
年令に関する情報及び電子マネー情報を記憶する記憶手段と、
前記電子マネー情報の示す金額が、選択された商品の料金以上の残高を有する場合には、前記年令に関する情報が読み出され、
前記電子マネー情報の示す金額が、選択された商品の料金未満の残高である場合には、前記年令に関する情報が読み出されず、
前記年令に関する情報が所定条件を満たす場合には、前記電子マネー情報が読み出され、選択された商品の料金を前記電子マネー情報の示す金額から差し引した金額が電子マネー情報として記憶手段に記憶され、
前記年令に関する情報が所定条件を満たさない場合には、前記電子マネー情報が読み出されない事を特徴とするＩＣカード。
【請求項６】
年令に関する情報及び電子マネー情報を読取る読取り手段と、
商品を取り出す商品取り出し手段と、
前記電子マネー情報を格納する記憶手段と、
前記読取った年令に関する情報に基づいて、商品を取り出すか否かを制御し、商品を取り出す場合には、取り出される商品の料金に対応した前記電子マネー情報を読取り、格納するように制御する制御手段と、
を備えた事を特徴とする自動販売機。
【請求項７】
年令に関する情報及び電子マネー情報を読取る読取り手段と、
商品を選択する選択手段と、
前記選択された商品を取り出す商品取り出し手段と、
前記読取った電子マネー情報を格納する記憶手段と、
前記読取った年令に関する情報に基づいて、商品を取り出すか否かを決定し、商品を取り出す場合には、商品の料金に対応した前記電子マネー情報を読取り、格納するように制御する制御手段と、
を備えた事を特徴とする自動販売機。
【請求項８】
ＩＣカードにより料金決済を行なう自動販売機であって、
前記ＩＣカード内の年令に関する情報及び電子マネー情報を読取る読取り手段と、
前記読取った電子マネー情報を格納する記憶手段と、
商品を選択する選択手段と、
前記選択された商品を取り出す商品取り出し手段と、
前記ＩＣカードの電子マネー情報を読取り、前記選択された商品の料金以上の残高を有している場合には前記年令に関する情報を読取るように制御する制御手段と、
前記制御手段は、前記読取った年令に関する情報が所定条件を満たす場合には商品を取り出し、商品の料金に対応した前記電子マネー情報を読取り、格納し、商品を取り出すように制御し、
前記制御手段は、前記読取った年令に関する情報が所定条件を満たさない場合には前記電子マネー情報を格納せず、商品を取り出さないように制御する事を特徴とする自動販売機。
【請求項９】
ＩＣカード及びＩＣカードを用いて料金決済を行なう自動販売機からなる販売システムであって、
前記ＩＣカードは、年令に関する情報及び電子マネー情報を記憶する記憶手段と、を備え、
前記自動販売機は、前記年令に関する情報を読取る第１の読取り手段と、前記電子マネー情報を読取る第２の読取り手段と、前記電子マネー情報を格納する記憶手段と、商品を取り出す商品取り出し手段と、を備え、
前記自動販売機は前記ＩＣカードより年令に関する情報を読取り、商品を取り出すか否かを決定し、前記自動販売機が商品を取り出す場合には、取り出される商品の料金に対応した前記電子マネー情報の金額を前記自動販売機は前記ＩＣカードから読取り前記自動販売機の記憶手段に格納することを特徴とする販売システム。
【請求項１０】
ＩＣカード及びＩＣカードを用いて料金決済を行なう自動販売機からなる販売システムであって、
前記ＩＣカードは年令に関する情報及び電子マネー情報を記憶する第２の記憶手段とを備え、
前記自動販売機は前記ＩＣカード内の年令に関する情報及び電子マネー情報を読取る読取り手段と、前記電子マネー情報を格納する記憶手段と、商品を選択する選択手段と、前記選択された商品を取り出す商品取り出し手段と、前記ＩＣカードの電子マネー情報を読取り、前記選択された商品の料金以上の残高を有している場合には前記年令に関する情報を読取るように制御する制御手段と、を備え、
前記制御手段は、前記読取った年令に関する情報が所定条件を満たす場合には商品を取り出し、商品の料金に対応した前記電子マネー情報を読取り、前記自動販売機の記憶手段に格納し、商品を取り出すように制御し、
前記制御手段は、前記ＩＣカードに記憶されている電子マネー情報の示す金額から前記商品の料金に対応した金額を差し引きした金額を電子マネー情報として前記ＩＣカードの記憶手段に記憶させるように制御し、
前記制御手段は、前記読取った年令に関する情報が所定条件を満たさない場合には商品を取り出さないように制御する事を特徴とする販売システム。
【請求項１１】
ＩＣカード及びＩＣカードを用いて料金決済を行なう自動販売機からなる販売システムであって、
前記ＩＣカードは、年令に関する情報及び電子マネー情報を記憶する記憶手段と、を備え、
前記自動販売機は、前記ＩＣカード内の年令に関する情報及び電子マネー情報を読取る読取り手段と、前記電子マネー情報を格納する記憶手段と、商品を選択する選択手段と、前記選択された商品を取り出す商品取り出し手段と、前記ＩＣカードの電子マネー情報及び年令に関する情報を読取り、前記選択された商品の料金以上の残高を有している場合であって前記読取った年令に関する情報が所定条件を満たす場合には、商品を取り出し、商品の料金に対応した前記電子マネー情報の示す金額を読取り、前記自動販売機の記憶手段に格納し、商品を取り出すように制御する制御手段と、を備え、
前記制御手段は、前記ＩＣカードに記憶されている電子マネー情報の示す金額から前記商品の料金に対応した金額を差し引きした金額を電子マネー情報として前記ＩＣカードの記憶手段に記憶させるように制御する事を特徴とする販売システム。
【請求項１２】
請求項１０の販売システムにおいて、
前記制御手段は、前記ＩＣカードの電子マネー情報を読取り、前記電子マネー情報の残高が前記選択された商品の料金以下である場合には前記年令に関する情報を読取らないように制御することを特徴とする販売システム。
【請求項１３】
請求項１乃至５いずれか１項記載のＩＣカードにおいて、
前記ＩＣカードはタバコ又は酒用自動販売機にてタバコ又は酒を購入するために用いられる事を特徴とするＩＣカード。
【請求項１４】
請求項６乃至８いずれか１項記載の自動販売機において、前記自動販売機はタバコ又は酒用自動販売機である事を特徴とする自動販売機。
【請求項１５】
請求項９乃至１２いずれか１項記載の販売システムにおいて、前記販売システムはタバコ又は酒を販売するためのシステムである事を特徴とする販売システム。
【請求項１６】
請求項２乃至５いずれか１項記載のＩＣカードにおいて、
前記所定条件を満たすとは前記ＩＣカードの使用者の年令が２０歳以上又は使用者の生年月日から使用者が前記ＩＣカードを使用した日までが２０年以上である事が記憶されている事であり、
前記所定条件を満たさないとは前記ＩＣカードの使用者の年令が２０歳未満又は使用者の生年月日から使用者が前記ＩＣカードを使用した日までが２０年未満である事を特徴とするＩＣカード。
【請求項１７】
請求項８記載の自動販売機において、
前記読取った年令に関する情報が前記所定条件を満たすとは、２０歳以上又は読取った年令に関する情報の生年月日から前記自動販売機が使用された日までが２０年以上である事であり、
前記読取った年令に関する情報が前記所定条件を満たさないとは、年令が２０歳未満又は読取った年令に関する情報生年月日から前記自動販売機が使用された日までが２０年未満である事を特徴とする自動販売機。
【請求項１８】
請求項１０乃至１２いずれか１項記載の販売システムにおいて、
前記読取った年令に関する情報が前記所定条件を満たすとは、２０歳以上又は読取った年令に関する情報の生年月日から前記自動販売機が使用された日までが２０年以上である事であり、
前記読取った年令に関する情報が前記所定条件を満たさないとは、年令が２０歳未満又は読取った年令に関する情報生年月日から前記自動販売機が使用された日までが２０年未満である事を特徴とする販売システム。
【請求項１９】
請求項７又は８の自動販売機において、
前記選択された商品の料金を表示する料金表示手段と、
を備えた事を特徴とする自動販売機。
【請求項２０】
請求項１０又は１１の販売システムにおいて、
前記自動販売機は、
前記選択された商品の料金を表示する料金表示手段と、
を備えた事を特徴とする販売システム。